(57)【特許請求の範囲】
【請求項１】
家具部材であって、
前部と後部の間を平行に延出する一対のレールを備え、前記レールはそれぞれ、トラックと、このトラックの前端に少なくとも部分的に挿入されるストッパプラグを備えるベースアセンブリと、
ベースフレームと、背もたれフレームと、座部フレームを備え、前記背もたれフレームは前記ベースフレームに回転可能に連結され、前記座部フレームは、前記背もたれフレームが回転すると、これに対応して前記座部フレームが前記背もたれフレームおよび前記ベースフレームに対して動くように、前記背もたれフレームに可動に連結されるフレームアセンブリと、
前記ベースフレームを支持すると共に前記座部フレームに連結され、駆動リンクと側板を備える傾斜機構とを備え、
前記駆動リンクと前記側板は、前記背もたれフレームが前記ベースフレームに対して回転すると、前記トラックに沿って摺動して前記ベースフレームが前記ベースアセンブリに対して移動するように、前記トラックに摺動可能に係合し、
前記側板はそれぞれ、前記背もたれフレームがフルリクライニング位置にある時、前記ストッパプラグの一つに接触する軸受を備え、
一対のベースストッパ部材が前記ベースフレームに固定され、前記ベースストッパ部材は、前記背もたれフレームが前記フルリクライニング位置にある時は前記ストッパプラグから離間し、前記背もたれフレームが直立位置にある時は前記ストッパプラグに当接する
ことを備えることを特徴とする家具部材。
【請求項２】
請求項１に記載の家具部材であって、
サイドストッパ部材が前記ベースストッパ部材のそれぞれに固定され、
前記サイドストッパ部材と前記トラック間の干渉により、前記ベースフレームと前記ベースアセンブリの横方向の相対移動が制限されることを特徴とする家具部材。
【請求項３】
請求項２に記載の家具部材において、
前記ベースストッパ部材はそれぞれＬ字型の外形をなす第一脚部と第二脚部を備え、
前記第一脚部および第二脚部は共に、対応する前記ストッパプラグに接触することを特徴とする家具部材。
【請求項４】
請求項１に記載の家具部材であって、前記ベースフレームは、前記ベースアセンブリに対して移動するにつれて、前記ベースアセンブリに対して傾斜することを特徴とする家具部材。
【請求項５】
請求項１に記載の家具部材において、前記ベースフレームに対する前記背もたれフレームの移動とは独立して、伸展位置と後退位置の間で移動可能なレッグレスト機構をさらに備えることを特徴とする家具部材。
【請求項６】
請求項５に記載の家具部材において、前記傾斜機構を駆動する第一リニアアクチュエータと、前記レッグレスト機構を駆動する第二リニアアクチュエータとをさらに備えることを特徴とする家具部材。
【請求項７】
請求項６に記載の家具部材において、前記第一リニアアクチュエータは、前記背もたれフレームを前記ベースフレームに対して回転させることを特徴とする家具部材。
【請求項８】
請求項７に記載の家具部材において、前記第一リニアアクチュエータは、前記座部フレームを前記ベースフレームに対して駆動することを特徴とする家具部材。
【請求項９】
請求項８に記載の家具部材であって、前記第一および第二リニアアクチュエータは、互いに位置合わせされると共に、当該家具部材が通常の使用時に配置される支持面から鉛直方向上方に延出する軸に沿って配置され、前記軸は前記支持面に直交することを特徴とする家具部材。
【請求項１０】
請求項９に記載の家具部材において、
前記ベースストッパ部材はそれぞれ、Ｌ字型の外形をなす第一脚部と第二脚部を備え、
前記第一脚部と第二脚部は共に、対応する前記ストッパプラグに接触し、
サイドストッパ部材が前記ベースストッパ部材それぞれに固定され、
前記サイドストッパ部材と前記トラック間の干渉により、前記ベースフレームと前記ベースアセンブリの横方向の相対移動が制限されることを特徴とする家具部材。
【請求項１１】
請求項８に記載の家具部材であって、前記背もたれフレームが前記直立位置にある間に前記第二リニアアクチュエータのみが作動して、前記レッグレスト機構が前記後退位置から前記伸展位置に移動すると、前記背もたれフレームおよび前記ベースフレームが、前記直立位置からプレチルト位置まで前記ベースアセンブリに対して後方に傾斜することを特徴とする家具部材。
【請求項１２】
請求項１１に記載の家具部材において、前記第二アクチュエータとは独立して前記第一アクチュエータの動作を制御する第一スイッチと、前記第一アクチュエータとは独立して前記第二アクチュエータの動作を制御する第二スイッチと、前記第一および第二アクチュエータの同時駆動を制御する第三スイッチを備えることを特徴とする家具部材。
【請求項１３】
家具部材であって、
前部と後部との間を平行に延出する一対のレールを備えるベースアセンブリと、
ベースフレームと、背もたれフレームと、座部フレームを備え、前記背もたれフレームは前記ベースフレームに回転可能に連結され、前記座部フレームは、前記背もたれフレームが回転すると、これに対応して前記座部フレームが前記背もたれフレームおよび前記ベースフレームに対して動くように、前記背もたれフレームに可動に連結されるフレームアセンブリと、
前記ベースフレームを支持し、前記座部フレームに連結され、軸受を備え、前記軸受は、前記背もたれフレームが前記ベースフレームに対して回転すると、前記軸受が前記レールに沿って移動し、前記ベースフレームが前記ベースアセンブリに対して移動するように、前記レールに移動可能に係合する傾斜機構と、
前記ベースフレームに固定され、前記背もたれフレームがフルリクライニング位置にある時は前記レールから離間し、前記背もたれフレームが直立位置にある時は前記レールに当接し、それぞれにサイドストッパ部材が固定された一対のベースストッパ部材を備え、
前記サイドストッパ部材と前記レール間の干渉により、前記ベースフレームと前記ベースアセンブリの横方向の相対移動が制限されることを特徴とする家具部材。
【請求項１４】
請求項１３に記載の家具部材において、前記レールはそれぞれ、トラックと、このトラックの前端に少なくとも部分的に挿入されるストッパプラグを備えることを特徴とする家具部材。
【請求項１５】
請求項１４に記載の家具部材であって、前記背もたれフレームが前記フルリクライニング位置にある時、前記軸受が前記ストッパプラグに接触することを特徴とする家具部材。
【請求項１６】
請求項１３に記載の家具部材において、
前記ベースストッパ部材はそれぞれ、Ｌ字型の外形をなす第一脚部と第二脚部を備え、
前記第一脚部および第二脚部は共に、対応する前記レールに接触することを特徴とする家具部材。
【請求項１７】
請求項１３に記載の家具部材であって、前記ベースフレームは、前記ベースアセンブリに対して移動するにつれて、前記ベースアセンブリに対して傾斜することを特徴とする家具部材。
【請求項１８】
請求項１３に記載の家具部材において、前記ベースフレームに対する前記背もたれフレームの移動とは独立して、伸展位置と後退位置の間で移動可能なレッグレスト機構をさらに備えることを特徴とする家具部材。
【請求項１９】
請求項１８に記載の家具部材において、前記傾斜機構を駆動する第一リニアアクチュエータと、前記レッグレスト機構を駆動する第二リニアアクチュエータとをさらに備えることを特徴とする家具部材。
【請求項２０】
請求項１９に記載の家具部材において、前記第二アクチュエータとは独立して前記第一アクチュエータの動作を制御する第一スイッチと、前記第一アクチュエータとは独立して前記第二アクチュエータの動作を制御する第二スイッチと、前記第一および第二アクチュエータの同時駆動を制御する第三スイッチを備えることを特徴とする家具部材。
【請求項２１】
請求項１９に記載の家具部材であって、前記背もたれフレームが前記直立位置にある間に前記第二リニアアクチュエータのみが作動して、前記レッグレスト機構が前記後退位置から前記伸展位置に移動すると、前記背もたれフレームおよび前記ベースフレームが、前記直立位置からプレチルト位置まで前記ベースアセンブリに対して後方に傾斜することを特徴とする家具部材。
【請求項２２】
請求項１９に記載の家具部材であって、前記第一および第二リニアアクチュエータは、互いに位置合わせされると共に、当該家具部材が通常の使用時に配置される支持面から鉛直方向上方に延出する軸に沿って配置され、前記軸は前記支持面に直交することを特徴とする家具部材。
【請求項２３】
請求項２２に記載の家具部材において、前記第一リニアアクチュエータは、前記背もたれフレームを前記ベースフレームに対して回転させることを特徴とする家具部材。
【請求項２４】
請求項２３に記載の家具部材において、前記第一リニアアクチュエータは、前記座部フレームを前記ベースフレームに対して駆動することを特徴とする家具部材。
【請求項２５】
モーションソファであって、
第一支持部材と第二支持部材に設置された複数のシート部を備え、前記シート部はそれぞれ、
前記第一支持部材と前記第二支持部材に設置され、前部と後部との間を平行に延出する一対のレールを備え、前記レールはそれぞれ、トラックと、このトラックの前端に少なくとも部分的に挿入されるストッパプラグを備えるベースアセンブリと、
ベースフレームと、背もたれフレームと、座部フレームを備え、前記背もたれフレームは前記ベースフレームに回転可能に連結され、前記座部フレームは、前記背もたれフレームが回転すると、これに対応して前記座部フレームが前記背もたれフレームおよび前記ベースフレームに対して動くように、前記背もたれフレームに移動可能に連結されるフレームアセンブリと、
前記ベースフレームを支持すると共に前記座部フレームに連結され、駆動リンクと側板を備える傾斜機構とを備え、
前記駆動リンクと前記側板は、前記背もたれフレームが前記ベースフレームに対して回転すると、前記トラックに沿って摺動して前記ベースフレームが前記ベースアセンブリに対して移動するように、前記トラックに摺動可能に係合し、
前記側板はそれぞれ、前記背もたれフレームがフルリクライニング位置にある時、前記ストッパプラグの一つに接触する軸受を備え、
前記シート部それぞれの前記傾斜機構は互いに独立して可動し、
一対のベースストッパ部材が前記ベースフレームに固定され、前記ベースストッパ部材は、前記背もたれフレームが前記フルリクライニング位置にある時は前記ストッパプラグから離間し、前記背もたれフレームが直立位置にある時は前記ストッパプラグに当接する  ことを特徴とするモーションソファ。
【請求項２６】
請求項２５に記載のモーションソファであって、
サイドストッパ部材が前記ベースストッパ部材のそれぞれに固定され、
前記サイドストッパ部材と前記トラック間の干渉により、前記ベースフレームと前記ベースアセンブリの横方向の相対移動が制限されることを特徴とするモーションソファ。
【請求項２７】
請求項２６に記載のモーションソファにおいて、
前記ベースストッパ部材はそれぞれ、Ｌ字型の外形をなす第一脚部と第二脚部を備え、
前記第一脚部および第二脚部は共に、対応する前記ストッパプラグに接触することを特徴とするモーションソファ。
【請求項２８】
請求項２５に記載のモーションソファであって、前記ベースフレームは、前記ベースアセンブリに対して移動するにつれて、前記ベースアセンブリに対して傾斜することを特徴とするモーションソファ。
【請求項２９】
請求項２５に記載のモーションソファにおいて、前記ベースフレームに対する前記背もたれフレームの移動とは独立して、伸展位置と後退位置の間で移動可能なレッグレスト機構をさらに備えることを特徴とするモーションソファ。
【請求項３０】
請求項２９に記載のモーションソファにおいて、前記傾斜機構を駆動する第一リニアアクチュエータと、前記レッグレスト機構を駆動する第二リニアアクチュエータとをさらに備えることを特徴とするモーションソファ。
【請求項３１】
請求項３０に記載のモーションソファにおいて、前記第一リニアアクチュエータは、前記背もたれフレームを前記ベースフレームに対して回転させることを特徴とするモーションソファ。
【請求項３２】
請求項３１に記載のモーションソファにおいて、前記第一リニアアクチュエータは、前記座部フレームを前記ベースフレームに対して駆動することを特徴とするモーションソファ。
【請求項３３】
請求項３２に記載のモーションソファであって、前記第一および第二リニアアクチュエータは、互いに位置合わせされると共に、当該家具部材が通常の使用時に配置される支持面から鉛直方向上方に延出する軸に沿って配置され、前記軸は前記支持面に直交することを特徴とするモーションソファ。
【請求項３４】
請求項３３に記載のモーションソファにおいて、
前記ベースストッパ部材はそれぞれ、Ｌ字型の外形をなす第一脚部と第二脚部を備え、
前記第一脚部と第二脚部は共に、対応する前記ストッパプラグに接触し、
サイドストッパ部材が前記ベースストッパ部材それぞれに固定され、
前記サイドストッパ部材と前記トラック間の干渉により、前記ベースフレームと前記ベースアセンブリの横方向の相対移動が制限されることを特徴とするモーションソファ。
【請求項３５】
請求項３２に記載のモーションソファであって、前記背もたれフレームが前記直立位置にある間に前記第二リニアアクチュエータのみが作動して、前記レッグレスト機構が前記後退位置から前記伸展位置に移動すると、前記背もたれフレームおよび前記ベースフレームが、前記直立位置からプレチルト位置まで前記ベースアセンブリに対して後方に傾斜することを特徴とするモーションソファ。
【請求項３６】
請求項３５に記載のモーションソファにおいて、前記第二アクチュエータとは独立して前記第一アクチュエータの動作を制御する第一スイッチと、前記第一アクチュエータとは独立して前記第二アクチュエータの動作を制御する第二スイッチと、前記第一および第二アクチュエータの同時駆動を制御する第三スイッチを備えることを特徴とするモーションソファ。
【請求項３７】
家具部材であって、
前部と後部の間を平行に延出する一対のレールを備えるベースアセンブリと、
ベースフレームと、背もたれフレームと、座部フレームを備え、前記背もたれフレームは前記ベースフレームに回転可能に連結され、前記座部フレームは、前記背もたれフレームが回転すると、これに対応して前記座部フレームが前記背もたれフレームおよび前記ベースフレームに対して動くように、前記背もたれフレームに可動に連結されるフレームアセンブリと、
前記ベースフレームを支持すると共に前記座部フレームに連結され、側板を備える傾斜機構と、
前記ベースフレームに取り付けられ、前記背もたれフレームがリクライニング位置にある時は前記レールから離間し、前記背もたれフレームが直立位置にある時は前記レールに接触する一対のベースストッパ部材と、を備え、
前記側板は、前記背もたれフレームが前記ベースフレームに対して回転すると前記レールに沿って移動し、前記ベースフレームが前記ベースアセンブリに対して移動するように、前記レールに移動可能に係合されることを特徴とする家具部材。
【請求項３８】
請求項３７に記載の家具部材において、
前記ベースストッパ部材はそれぞれ、Ｌ字型の外形をなす第一脚部と第二脚部を備え、
前記第一脚部と第二脚部は共に、対応する前記レールに接触し、
サイドストッパ部材が前記ベースストッパ部材それぞれに取り付けられ、
前記サイドストッパ部材と前記レール間の干渉により、前記ベースフレームと前記ベースアセンブリの横方向の相対移動が制限されることを特徴とする家具部材。
【発明の詳細な説明】
【技術分野】
【０００１】
関連出願の相互参照
本願は２０１５年３月１７日に出願されたアメリカ特許出願番号１４／６６０，１４４の優先権を主張する。上記出願の開示事項は全て、本明細書内に援用される。
【０００２】
本開示は、家具部材用のリクライニング機構に関する。
【背景技術】
【０００３】
本セクションは、本開示に関連する背景情報を提供するが、これは必ずしも先行技術にはあたらない。
【０００４】
従来のリクライニングチェアやソファは、チェアやソファの背もたれが壁のせいでフルリクライニング位置まで移動できないことがないよう、チェアやソファの後方に十分なスペースが空くように室内の壁や他の物体から十分に離して配置されなければならない。そのため、使用者は、このようなチェアやソファを配置する際、背もたれが完全に倒れるスペースを確保すべく、リクライニングしないチェアやソファを位置決めする場合よりもさらに壁から離して位置決めする必要がある。本開示は、壁と背もたれの間の距離が直立位置とフルリクライニング位置の両方で同じないしほぼ同じになるように、背もたれが倒れるにつれてフレームアセンブリが前方に移動する家具部材を提供する。
【発明の概要】
【０００５】
本セクションは、開示事項の概略を示すものであり、その範囲全体又はその全ての特徴を包括的に開示するものではない。
【課題を解決するための手段】
【０００６】
一形態において、本開示は、ベースアセンブリと、フレームアセンブリと、傾斜機構を備えてもよい家具部材を提供する。ベースアセンブリは、前部と後部の間を平行に延出する一対のレールを備えてもよい。前記レールはそれぞれ、トラックと、このトラックの前端に少なくとも部分的に挿入されるストッパプラグを備えてもよい。前記フレームアセンブリは、ベースフレームと、背もたれフレームと、座部フレームを備えてもよい。前記背もたれフレームは前記ベースフレームに回転可能に連結されてもよい。前記座部フレームは、前記背もたれフレームが回転すると、これに対応して前記座部フレームが前記背もたれフレームおよび前記ベースフレームに対して動くように、前記背もたれフレームに可動に連結されてもよい。前記傾斜機構は、前記ベースフレームを支持すると共に前記座部フレームに連結されてもよい。前記傾斜機構は駆動リンクと側板を備える傾斜機構とを備えてもよく、前記駆動リンクと前記側板は、前記背もたれフレームが前記ベースフレームに対して回転すると、前記駆動リンクと前記側板が前記トラックに沿って摺動して前記ベースフレームが前記ベースアセンブリに対して移動するように、前記トラックに摺動可能に係合する。前記側板はそれぞれ、前記背もたれがフルリクライニング位置にある時、前記ストッパプラグの一つに接触する軸受を備えてもよい。
【０００７】
構成によっては、一対のベースストッパ部材が前記ベースフレームに固定される。前記ベースストッパ部材は、前記背もたれがフルリクライニング位置にある時は前記ストッパプラグから離間し、前記背もたれが直立位置にある時は前記ストッパプラグに当接してもよい。
【０００８】
構成によっては、サイドストッパ部材が前記ベースストッパ部材のそれぞれに固定される。サイドストッパ部材と前記トラック間の干渉により、前記ベースフレームと前記ベースアセンブリの横方向の相対移動が制限される。
【０００９】
構成によっては、各ベースストッパ部材はＬ字型の外形をなす第一脚部と第二脚部を備える。前記第一脚部および第二脚部は共に、対応する前記ストッパプラグに接触してもよい。
【００１０】
構成によっては、前記ベースフレームは、前記ベースアセンブリに対して移動するにつれて、前記ベースアセンブリに対して傾斜する。
【００１１】
構成によっては、前記家具部材は、前記ベースフレームに対する前記背もたれの移動とは独立して、伸展位置と後退位置の間で移動可能なレッグレスト機構を備える。
【００１２】
構成によっては、前記家具部材は、第一リニアアクチュエータと第二リニアアクチュエータを備える。前記第一リニアアクチュエータは前記傾斜機構を駆動する。前記第二リニアアクチュエータは前記レッグレスト機構を駆動する。
【００１３】
構成によっては、前記第一リニアアクチュエータは、前記背もたれフレームを前記ベースフレームに対して回転させる。
【００１４】
構成によっては、前記第一リニアアクチュエータは、前記座部フレームを前記ベースフレームに対して駆動する。
【００１５】
構成によっては、前記第一および第二リニアアクチュエータは、互いに位置合わせされると共に、当該家具部材が通常の使用時に配置される支持面から鉛直方向上方に延出する軸に沿って配置される。前記軸は前記支持面に直交してもよい。
【００１６】
構成によっては、前記背もたれが直立位置にある間に前記第二リニアアクチュエータのみが作動して、前記レッグレスト機構が前記後退位置から前記伸展位置に移動すると、前記背もたれおよび前記ベースフレームが、前記直立位置からプレチルト位置まで前記ベースアセンブリに対して後方に傾斜する。
【００１７】
構成によっては、前記家具部材は、前記第二アクチュエータとは独立して前記第一アクチュエータの動作を制御する第一スイッチと、前記第一アクチュエータとは独立して前記第二アクチュエータの動作を制御する第二スイッチと、前記第一および第二アクチュエータの同時駆動を制御する第三スイッチを備える。
【００１８】
構成によっては、前記家具部材は、複数のシート部を備えるモーションソファであって、各シート部はそれぞれ、ベースアセンブリと、フレームアセンブリと、傾斜機構とを備える。前記シート部の前記傾斜機構は互いに独立して可動してもよい。
【００１９】
構成によっては、前記家具部材は、チェア、二人掛けソファ、ユニット式ソファ、あるいは他の可動式家具製品になりうる。
【００２０】
別の形態において、本開示は、ベースアセンブリと、フレームアセンブリと、傾斜機構と、一対のベースストッパ部材とを備えてもよい家具部材を提供する。前記ベースアセンブリは、前部と後部との間を平行に延出する一対のレールを備えてもよい。前記フレームアセンブリは、ベースフレームと、背もたれフレームと、座部フレームを備えてもよい。前記背もたれフレームは前記ベースフレームに回転可能に連結されてもよい。前記座部フレームは、前記背もたれフレームが回転すると、これに対応して前記座部フレームが前記背もたれフレームおよび前記ベースフレームに対して動くように、前記背もたれフレームに可動に連結されてもよい。前記傾斜機構は、前記ベースフレームを支持すると共に前記座部フレームに連結される。前記傾斜機構は軸受を備えてもよく、前記軸受は、前記背もたれフレームが前記ベースフレームに対して回転すると、前記軸受が前記トラックに沿って動き、これにより前記ベースフレームが前記ベースアセンブリに対して移動するように、前記トラックに可動に係合する。前記ベースストッパ部材は前記ベースフレームに固定されてもよい。前記ベースストッパ部材は、前記背もたれがフルリクライニング位置にある時は前記レールから離間し、前記背もたれが直立位置にある時は前記レールに当接してもよい。前記ベースストッパ部材にはそれぞれ、サイドストッパ部材が固定されてもよい。サイドストッパ部材と前記トラック間の干渉により、前記ベースフレームと前記ベースアセンブリの横方向の相対移動が制限される。
【００２１】
構成によっては、前記レールはそれぞれ、トラックと、このトラックの前端に少なくとも部分的に挿入されるストッパプラグを備える。
【００２２】
構成によっては、背もたれがフルリクライニング位置にある時、軸受はストッパプラグに接触する。
【００２３】
構成によっては、各ベースストッパ部材はＬ字型の外形をなす第一脚部と第二脚部を備える。前記第一脚部および第二脚部は共に、対応するストッパプラグに接触してもよい。
【００２４】
構成によっては、前記ベースフレームは、前記ベースアセンブリに対して移動するにつれて、前記ベースアセンブリに対して傾斜する。
【００２５】
構成によっては、前記家具部材は、前記ベースフレームに対する前記背もたれの移動とは独立して、伸展位置と後退位置の間で移動可能なレッグレスト機構を備える。
【００２６】
構成によっては、前記家具部材は、第一リニアアクチュエータと第二リニアアクチュエータを備える。前記第一リニアアクチュエータは前記傾斜機構を駆動する。前記第二リニアアクチュエータは前記レッグレスト機構を駆動する。
【００２７】
構成によっては、前記第一および第二リニアアクチュエータは、互いに位置合わせされると共に、当該家具部材が通常の使用時に配置される支持面から鉛直方向上方に延出する軸に沿って配置される。前記軸は前記支持面に直交してもよい。
【００２８】
構成によっては、前記第一リニアアクチュエータは、前記背もたれフレームを前記ベースフレームに対して回転させる。
【００２９】
構成によっては、前記第一リニアアクチュエータは、前記座部フレームを前記ベースフレームに対して駆動する。
【００３０】
構成によっては、前記家具部材は、複数のシート部を備えるモーションソファであって、各シート部はそれぞれ、ベースアセンブリと、フレームアセンブリと、傾斜機構とを備える。前記シート部の前記傾斜機構は互いに独立して可動してもよい。
【００３１】
構成によっては、前記家具部材は、チェア、二人掛けソファ、ユニット式ソファ、あるいは他の可動式家具製品としてもよい。
【００３２】
さらなる利用分野は、ここに示される記載から明らかになるであろう。この概要における説明および特定の実施例は、説明のみを目的とするものであり、本開示の範囲を限定するものではない。
【図面の簡単な説明】
【００３３】
ここに示される図面は、選択された実施形態の説明のみを目的とするものであり、可能な全ての実施を示すものではなく、本願開示事項の範囲を限定することを意図するものでもない。
【図１】本開示の原理に従った、直立位置にある家具部材の斜視図である。
【図２】直立位置にある家具部材の別の斜視図であり、明確にするために、家具部材のフレームが部分的に取り除かれている。
【図３】直立位置にある家具部材の側面図であり、明確にするために、フレームが部分的に取り除かれている。
【図４】直立位置にある家具部材の傾斜機構とベースアセンブリの一部を示す側面図である。
【図５】直立位置にある家具部材の一部を示す別の斜視図である。
【図６】直立位置にある家具部材の別の斜視図であり、明確にするために、フレームが部分的に取り除かれている。
【図７】本開示の原理に従った、プレチルト位置にある家具部材の斜視図である。
【図８】プレチルト位置にある家具部材の別の斜視図であり、明確にするために、フレームが部分的に取り除かれている。
【図９】プレチルト位置にある家具部材の側面図であり、明確にするために、フレームが部分的に取り除かれている。
【図１０】プレチルト位置にある家具部材の別の側面図であり、明確にするために、フレームと傾斜機構が部分的に取り除かれている。
【図１１】プレチルト位置にある家具部材の別の斜視図であり、明確にするために、フレームが部分的に取り除かれている。
【図１２】本開示の原理に従った、フルリクライニング位置にある家具部材の斜視図である。
【図１３】フルリクライニング位置にある家具部材の別の斜視図であり、明確にするために、フレームが部分的に取り除かれている。
【図１４】フルリクライニング位置にある家具部材の側面図であり、明確にするために、フレームが部分的に取り除かれている。
【図１５】フルリクライニング位置にある家具部材の別の側面図であり、明確にするために、フレームと傾斜機構が部分的に取り除かれている。
【図１６】フルリクライニング位置にある家具部材の別の斜視図であり、明確にするために、フレームが部分的に取り除かれている。
【図１７】本開示の原理に従った、ストッパプラグの斜視図である。
【図１８】本開示の原理に従った、直立位置にある別の家具部材の部分斜視図である。
【図１９】プレチルト位置にある図１８の家具部材の部分斜視図である。
【図２０】フルリクライニング位置にある図１８の家具部材の部分斜視図である。
【図２１】図１８の家具部材の正面図である。
【図２２】図１８の家具部材の第一および第二アクチュエータに電気的に接続されコントローラの略図である。
【図２３】一つのシート部が直立位置にあり、別のシート部がプレチルト位置にあるモーションソファの部分斜視図である。
【図２４】一つのシート部が直立位置にあり、別のシート部がフルリクライニング位置にある図２３のモーションソファの部分斜視図である。
【００３４】
いくつかの図面を通じて、対応する参照番号は、対応する部分を示す。
【発明を実施するための形態】
【００３５】
添付の図面を参照して、例示的実施形態をより詳細に説明する。
【００３６】
本願開示が完全となり、かつ本願開示により請求の範囲が当業者に十分に伝わるように実施形態を提示する。本願開示の実施形態の完全な理解を提供するため、具体的な構成要素、素子および方法の例など、数多くの具体的詳細を記載している。当業者にとって、具体的な詳細を用いる必要はなく、例示的実施形態は多くの異なる形態で実装可能であり、また本願開示を限定するものと解釈すべきでないことは明らかであろう。いくつかの例示的実施形態において、公知の方法、公知の素子構造および公知の技術は、詳細に記載されない。
【００３７】
本明細書中で用いられる用語は、具体的な例示的実施形態を記述することのみを目的とするものであり、限定的であることを意図しない。本明細書で使用される際、単数形は、明示されていない限り複数形も含むことを意図する。用語「備える」、「備えて」、「含んで」および「有して」は包括的であり、述べられた特徴、整数、工程、操作、要素、および／または部品の存在を特定する。しかし、１以上の特徴、整数、工程、操作、要素、部品および／または群の存在または追加を排除するものではない。本明細書で記載される方法工程、プロセスおよび操作は、実行順序として詳細に特定されない限り、必ずしも記載または図示された特定の順序で実行を要するものと解釈されるべきではない。追加工程または代替工程が用いられてもよいことも理解されるであろう。
【００３８】
要素または層が、他の要素または層「上に」ある、「に係合」、「に接続」または「に連結」すると記される場合、この要素または層は直接に他の要素または層上にあるか、係合、接続、または連結してもよい。または、介在要素または層があってもよい。一方、要素が、他の要素または層の「直接上に」ある、「に直接係合」、「に直接接続」または「に直接連結」すると記される場合、介在要素または層は存在しなくてよい。要素同士の関係を説明するのに使用される他の文言（例えば、「の間に」と「直接の間に」、「隣接して」と「直接隣接して」など）は、同様に解釈されるべきである。本明細書で用いられる際、用語「および／または」は１以上の関連づけられたリスト項目の全ての組み合わせを含む。
【００３９】
第一、第二、第三等の用語が各種要素、部品、領域、層および／または切断面を説明するために本明細書で使用されるが、これらの要素、部品、領域、層および／または切断面はこれらの用語により限定されるものではない。これらの用語は、ある要素、部品、領域、層および／または切断面を他の領域、層または切断面から区別するためにのみ使用されてもよい。本明細書で使用される際の「第一」「第二」のような用語および他の数に関する用語は、文脈で明示されない限り、配列または順序を意味しない。したがって、下記で論じられる第一要素、部品、領域、層および／または切断面は、実施例の教示から逸脱することなく第二要素、部品、領域、層および／または切断面と称されることも可能である。
【００４０】
「インナー」、「アウター」、「真下に」、「下に」、「下側の」「上に」、「上部に」等のような空間的に相対的な用語が、図示する際、ある要素または特徴と他の要素または特徴との関係の記載を容易にするために、本明細書で使われてもよい。空間的に相対的な用語は、図示される向きに加えて、使用時または操作時における装置の異なる向きを包含するとしてもよい。例えば、図の装置がひっくり返ると、他の要素または特徴の「下に」または「真下に」と記載される要素は、他の要素または特徴の「上に」置かれるだろう。このように、例示の用語「下に」は上と下両方への向きを包含することが可能である。装置は他方向に向かされてもよい（９０度回転または他の向きに）。本明細書で使用される空間関連記述子は適宜解釈される。
【００４１】
図１−１７を参照し、家具部材１０が示される。この家具部材１０は、ベースアセンブリ１２（図２）と、フレームアセンブリ１４（図１）と、傾斜機構１６（図２および３）と、レッグレスト機構１８（図２および３）を備えてもよい。ベースアセンブリ１２は、フレームアセンブリ１４と、傾斜機構１６と、レッグレスト機構１８を支持する。また、ベースアセンブリ１２は、家具部材１０が配置される支持面すなわち地面Ｇ（図３）に対して静止したままの状態で、フレームアセンブリ１４と、傾斜機構１６と、レッグレスト機構１８の移動を可能にする。以下でより詳細に記述されるが、フレームアセンブリ１４と傾斜機構１６は、直立位置（図１−６）、プレチルト位置（図７−１１）、およびフルリクライニング位置（図１２−１６）の間で、ベースアセンブリ１２に対して移動可能である。レッグレスト機構１８は、ベースアセンブリ１２およびフレームアセンブリ１４に対して、後退位置（図１−６）と伸展位置（図７−１６）の間を移動可能である。なお、フレームアセンブリ１４と傾斜機構１６は、レッグレスト機構１８を伸展位置に移動させずに、フルリクライニング位置に移動可能である。
【００４２】
ベースアセンブリ１２は、前側支持部材２０と、後側支持部材２２と、一対のレール２４を備えてもよい。前側支持部材２０と後側支持部材２２は、支持面Ｇに接触する複数の脚部２５を備えることができる。レール２４は、前側支持部材２０と後側支持部材２２の間を互いに平行に延出し、前側支持部材２０と後側支持部材２２に固定される。レール２４はそれぞれ湾曲したトラックチャネル２６を備える。このトラックチャネル２６はレール２４の全長にわたって延出してもよい。ストッパプラグ２８（図４および１７）が、各トラックチャネル２６の前端に少なくとも部分的に挿入されてもよい。ストッパプラグ２８は、トラックチャネル２６に圧入されてよいし、および／または、他の形でレール２４に固定されてもよい。各ストッパプラグ２８は、トラックチャネル２６に挿入される本体部２９と、トラックチャネル２６の外側に配置されるフランジ部３１を備えてもよい。本体部２９は、湾曲した端面３７（図４）を備えてもよい。この端面３７は、家具部材１０がフルリクライニング位置にある時、傾斜機構１６の前側軸受に接触してもよい。構成によっては、面３７の曲率半径は前側軸受７４の曲率半径と一致する大きさにしてもよい。本体部２９およびフランジ部３１は、一体物として互いに一体に形成されてもよい。図４に示されるように、フランジ部３１は、レール２４の前端３３と長辺３５の一部を囲って延出し、それらを少なくとも部分的に覆ってもよい。
【００４３】
フレームアセンブリ１４は、チェア本体であるベースフレーム３０と、背もたれフレーム３２と、座部フレーム３４を備えてもよい（図３）。背もたれフレーム３２は、直立位置とフルリクライニング位置の間でベースフレーム３０と座部フレーム３４に対して回転可能である。背もたれフレーム３２は、一対の揺動リンク３６によってベースフレーム３０に枢動可能に連結される。各揺動リンク３６は、フリクションリンク３８とリアアーム４０に枢動可能に連結される。リアアーム４０は、フリクションリンク３８のスロット４４と摺動可能に係合する留め具４２を備える。座部フレーム３４は、リアアーム４０と一対のフロントアーム４６に支持される。フロントアーム４６はそれぞれスロット４８を有する。フロントアーム４６のスロット４８は、ベースフレーム３０に取り付けられた支持ロッド５０と摺動可能に係合する。
【００４４】
リアアーム４０とフロントアーム４６は協働して座部フレーム３４を支持する。背もたれフレーム３２が直立位置とリクライニング位置の間でベースフレーム３０に対して回転すると、フリクションリンク３８のスロット４４は留め具４２に沿って摺動し、フロントアーム４６のスロット４８は支持ロッド５０に沿って摺動する。これにより、座部フレーム３４はベースフレーム３０に対して前方に移動する（図３および１５を比較）。
【００４５】
フレームアセンブリ１４はまた、一対のベースストッパ部材５１と一対のサイドストッパ部材５３を備えてもよい。ベースストッパ部材５１は、ベースフレーム３０のフロントボード５５（図１、１０および１５）に固定されてもよい。ベースストッパ部材５１はＬ字型の外形を有してもよい。ベースストッパ部材５１はそれぞれ、第一脚部５７と第二脚部５９を備えてもよい。これらの脚部は、互いに略直交し、すなわち、互いに角度をなし、ベースストッパ部材５１のＬ字型の外形を形成する。サイドストッパ部材５３は、ベースストッパ部材５１および／またはベースフレーム３０に固定されてもよい。
【００４６】
傾斜機構１６、一対の上側接続リンク５２と、一対の側板５４と、一対の前上側駆動リンク５６と、一対の前下側駆動リンク５８と、一対の後側駆動リンク６０を備える。上側接続リンク５２は、第一端部６２で、座部フレーム３４を支持するフロントアーム４６に枢動可能に接続される。上側接続リンク５２は、第二端部で、前上側駆動リンク５６の第一端部に枢動可能に接続される。各前上側駆動リンク５６の第二端部は、各前下側駆動リンク５８の第一端部に枢動可能に連結される。各前下側駆動リンク５８の第二端部は、ベースアセンブリ１２の別の一部分における対応するレール２４に、枢動可能に連結される。
【００４７】
図３および４に示されるように、側板５４はベースフレーム３０に固定される。側板５４はそれぞれ、トラックチャネル２６に摺動可能または回転可能に係合する前側軸受７４（図４）を備える。後側駆動リンク６０はそれぞれ、トラックチャネル２６に摺動可能または回転可能に係合する後側軸受７６を備える。後側駆動リンク６０はまた、対応する側板５４のスロット８０に摺動可能に係合するペグ７８を備える。駆動ロッド８４が回転すると後側駆動リンク６０が側板５４に対して回転するように、連結リンク８３（図２）は後側駆動リンク６０をレッグレスト機構１８の駆動ロッド８４に接続される。
【００４８】
レッグレスト機構１８は、駆動ロッド８４と一対のパンタグラフリンク機構８６を備えてもよい。ハンドル８８が駆動ロッド８４の端部に接続される。ハンドル８８がベースフレーム３０に対して回転すると、それに対応して駆動ロッド８４がベースフレーム３０に対して回転する。このような駆動ロッド８４の回転により、パンタグラフリンク機構８６は後退位置と伸展位置の間で移動する。図示されないが、レッグレスト機構１８が伸展位置にある状態の家具部材１０に座りつつ、使用者が脚および／または足をレッグレスト台に載せてもいいように、レッグレスト台がパンタグラフリンク機構８６に取り付けられ、パンタグラフリンク機構８６によって支持される。
【００４９】
図１−１７を引き続き参照して、家具部材１０の動作を詳述する。前述したように、フレームアセンブリ１４および傾斜機構１６は、直立位置（図１−６）、プレチルト位置（図７−１１）、およびフルリクライニング位置（図１２−１６）の間で、ベースアセンブリ１２に対して移動可能である。レッグレスト機構１８は、ベースアセンブリ１２およびフレームアセンブリ１４に対して、後退位置（図１−６）と伸展位置（図７−１６）の間を移動可能である。
【００５０】
図３に示されるように、家具部材１０が直立位置にある時、ベースフレーム３０と、背もたれフレーム３２と、座部フレーム３４は、支持面Ｇに対して第一位置に位置づけられる。図９に示されるように、家具部材１０がプレチルト位置にある時、ベースフレーム３０と、背もたれフレーム３２と、座部フレーム３４は、支持面Ｇに対して第二位置に位置づけられる。しかしながら、ベースフレーム３０と、背もたれフレーム３２と、座部フレーム３４の互いの位置づけは、直立位置およびプレチルト位置において同じでもよい。家具部材１０が直立位置からプレチルト位置に移動すると、プレチルト位置において、フレームアセンブリ１４の後端が直立位置の時よりも鉛直方向に支持面Ｇに近接し、フレームアセンブリ１４の前端が直立位置の時よりも鉛直方向に支持面Ｇから離間するように、フレームアセンブリ１４が傾斜する。図１４に示されるように、家具部材１０がフルリクライニング位置に移動すると、フレームアセンブリ１４は支持面Ｇに対してさらに傾斜し、また同時に、ベースフレーム３０と、背もたれフレーム３２と、座部フレーム３４が互いに相対移動する。フルリクライニング位置において、ベースフレーム３０の後端は、直立位置およびプレチルト位置の時よりも鉛直方向に支持面Ｇに近接し、ベースフレーム３０の前端は、直立位置およびプレチルト位置の時よりも鉛直方向に支持面Ｇから離間する。さらに、家具部材１０が直立位置およびフルリクライニング位置にある状態で配置される部屋の壁（図示されず）と家具部材１０が、ベースアセンブリ１２を壁に対して動かさなくても所望の間隔を維持できるように、家具部材１０がフルリクライニング位置に移動するにつれて、フレームアセンブリ１４は前方に（レール２４の前端に向かって）移動する。
【００５１】
直立位置において、傾斜機構１６の前側軸受７４と後側軸受７６は、レール２４のトラックチャネル２６に沿って第一位置に配置される。図４に示されるように、直立位置において、前側軸受７４はストッパプラグ２８から離間する。さらに、図４は、家具部材１０が直立位置にある時、ベースストッパ部材５１がそれぞれ対応するストッパプラグ２８に２カ所で接触するように、ベースストッパ部材５１（ベースフレーム３０に固定）がストッパプラグ２８に接触することを示す。より具体的には、各ベースストッパ部材５１の第一脚部５７と第二脚部５９は共に、ストッパプラグ２８のフランジ部３１の異なる部位に接触する。ベースストッパ部材５１とストッパプラグ２８のフランジ部３１間のこうした接触により、家具部材１０が直立位置にある間、特に家具部材１０の使用者が家具部材１０に入ったり出たりする間（すなわち、使用者が体を家具部材に沈めたり、家具部材１０から立ち上がったりする間）の家具部材１０の安定性が向上する。
【００５２】
さらに、レール２４に対しサイドストッパ部材５３が近接配置されることで（家具部材１０が直立位置にある場合）、ベースアセンブリ１２に対するフレームアセンブリ１４の横方向（左右の）の移動量が制限される。図５に示されるように、家具部材１０が直立位置にある時、各レール２４と隣接するサイドストッパ部材５３の間には小さな隙間しか存在しない。いくつかの実施形態において、サイドストッパ部材５３は共に、それぞれのレール２４に同時に接触してもよい。フレームアセンブリ１４とベースアセンブリ１２間の横方向の相対移動の範囲を限定することで、家具部材１０が直立位置にある間、特に家具部材１０の使用者が家具部材１０に入ったり出たりする間の家具部材１０の安定性が向上する。プレチルト位置およびフルリクライニング位置において、ベースストッパ部材５１とサイドストッパ部材５３は、ストッパプラグ２８およびレール２４から離間してもよい。
【００５３】
家具部材１０を直立位置からプレチルト位置に移動する際、使用者は、ハンドル８８を図３に示される位置から図９に示される位置に回転させてもよい。ハンドル８８が回転すると、これに応じて駆動ロッド８４が動き、連結リンク８３が回転する。これにより、後側駆動リンク６０に接続されるペグ７８が側板５４のスロット８０内を下向きに摺動するように、後側駆動リンク６０が側板５４に対して回転する。また、連結リンク８３が回転すると、後側駆動リンク６０と側板５４はレール２４に対して後方に移動する（すなわち、前側軸受７４と後側軸受７６はトラックチャネル２６内をトラックチャネル２６の後端に向かって移動する）。また、ハンドル８８の図３の位置から図９の位置への回転によって駆動ロッド８４が回転すると、前上側駆動リンク５６が回転し、これにより、前下側駆動リンク５８と上側接続リンク５２が回転する。ハンドル８８の図３の位置から図９の位置への移動に応じた傾斜機構１６のこのような同期した動きにより、フレームアセンブリ１４は支持面Ｇに対して後方に傾斜する。さらに、前述したように、このようなハンドル８８と駆動ロッド８４の回転はまた、同時にパンタグラフリンク機構８６を伸展位置に移動させる。
【００５４】
家具部材１０を直立位置からフルリクライニング位置に移動、あるいは、プレチルト位置からフルリクライニング位置に移動する際、使用者は背もたれフレーム３２にもたれて、背もたれフレーム３２をベースフレーム３０に対して回転させてもよい。背もたれフレーム３２のこのような動きによって、座部フレーム３４とフロントアーム４６はベースフレーム３０に対して前方に移動する。フロントアーム４６がベースフレーム３０に対して移動すると、上側接続リンク５２が前方に移動し、次に前上側駆動リンク５６と前下側駆動リンク５８が回転する。前下側駆動リンク５８の第二端部７２はフレームアセンブリ１４（すなわち、レール２４および／または前側支持部材２０）に取り付けられているため、前上側駆動リンク５６と前下側駆動リンク５８のこのような回転により、傾斜機構１６とフレームアセンブリ１４は、前側軸受７４がストッパプラグ２８の本体部２９に接触するまで（図１５）、レール２４に沿って前方に案内される。このような傾斜機構１６の動きにより、フレームアセンブリ１４はベースアセンブリ１２に対して前方に移動すると同時に、ベースアセンブリ１２に対して後方に傾斜する。
【００５５】
図１８−２１を参照し、別の家具部材１１０が示される。この家具部材１１０は、ベースアセンブリ１１２と、フレームアセンブリ１１４と、傾斜機構１１６と、レッグレスト機構１１８と、第一電気機械リニアアクチュエータ１１９および第二電気機械リニアアクチュエータ１２１を備える。ベースアセンブリ１１２、フレームアセンブリ１１４、傾斜機構１１６およびレッグレスト機構１１８の構造および機能は、ここで記載および／または上記図中で示される相違点を別として、前述のベースアセンブリ１２、フレームアセンブリ１４、傾斜機構１６およびレッグレスト機構１８と同様または同一でもよい。従って、同様の特徴事項は再度詳細には記載されない。家具部材１０と同様に、家具部材１１０のフレームアセンブリ１１４および傾斜機構１１６は、直立位置（図１８）、プレチルト位置（図１９）、およびフルリクライニング位置（図２０）の間で、ベースアセンブリ１１２に対して移動可能である。レッグレスト機構１１８は、ベースアセンブリ１１２およびフレームアセンブリ１１４に対して、後退位置（図１８）と伸展位置（図１９および２０）の間を移動可能である。
【００５６】
第一リニアアクチュエータ１１９は、フレームアセンブリ１１４に対して固定された第一端部１２３と、ベースアセンブリ１１２に対して固定された第二端部１２５を有してもよい。より具体的には、第一端部１２３はフレームアセンブリ１１４の前部に設置された横材１２７に固定されてもよく、第二端部１２５はベースアセンブリ１１２の後側支持部材１２２に固定されてもよい。第一リニアアクチュエータ１１９はその長さを入れ子式に伸縮自在とされて、第一端部１２３を第二端部１２５に対して近接離隔可能であり、これに応じて傾斜機構１１６が動くと、前述のように、フレームアセンブリ１１４はベースアセンブリ１１２に対して直立位置とフルリクライニング位置の間で移動および傾斜する。すなわち、第一端部１２３が第二端部１２５から遠ざかると、フレームアセンブリ１１４はベースアセンブリ１１２に対して後方に傾斜し、かつ、前方に移動して、家具部材１１０をフルリクライニング位置に向かって移動させる。第一端部１２３が第二端部１２５に近づくと、フレームアセンブリ１１４はベースアセンブリ１１２に対して前方に傾斜し、かつ、後方に移動して、家具部材１１０を直立位置に向かって移動させる。
【００５７】
傾斜機構１６と同様に、傾斜機構１１６は、フレームアセンブリ１１４の座部フレーム（座部フレーム３４と同様）を支持するフロントアーム１４６に接続される上側接続リンク１５２を備えてもよい。これにより、第一リニアアクチュエータ１１９が動作して第一端部１２３を第二端部１２５から離間させると、これに応じてフロントアーム１４６が支持ロッド１５０（フレームアセンブリ１１４のベースフレーム１３０に取り付けられている）に対して動き、座部フレームをベースフレーム１３０に対して前方に移動させる。家具部材１０に関連して前述したように、座部フレームがベースフレーム１３０に対して前方に移動すると、背もたれフレーム１３２がベースフレーム１３０に対して回転する。
【００５８】
第二リニアアクチュエータ１２１は、フレームアセンブリ１１４に対して固定された第一端部１２９と、レッグレスト機構１１８に対して動作可能に連結された第二端部１３１（図１９）を備えてもよい。より具体的には、第一端部１２９はフレームアセンブリ１１４の後部に設置された横材１３３に固定されてもよく、第二端部１３１は、レッグレスト機構１１８の駆動ロッド１８４に回転可能に連結されたクランクリンク１３５（図１９）に回転可能に連結されてもよい。第二リニアアクチュエータ１２１はその長さが入れ子式に伸縮自在とされて、第二端部１３１を第一端部１２９に対して近接離隔可能であり、これに応じて駆動ロッド１８４が回転する。家具部材１０に関連して前述したように、駆動ロッド１８４が回転することにより、レッグレスト機構１１８が後退位置と伸展位置の間で移動できると共に、フレームアセンブリ１１４がベースアセンブリ１１２に対して直立位置とプレチルト位置の間で移動できる。
【００５９】
図２１に図示されるように、第一リニアアクチュエータ１１９と第二リニアアクチュエータ１２１は位置合わせされると共に、支持面Ｇに垂直で、支持面Ｇから鉛直方向上方に延出する軸Ａに沿って配置されてもよい。すなわち、第二リニアアクチュエータ１２１は、軸Ａに沿って第一リニアアクチュエータ１１９の鉛直方向上方に配置される。このようなリニアアクチュエータ１１９と１２１の構成によれば、リニアアクチュエータ１１９と１２１の動作による反力は少なくとも部分的に相互に弱め合うことになり、リニアアクチュエータ１１９と１２１の動作中の家具部材１０の安定性は向上する。
【００６０】
家具部材１１０は、第一アクチュエータ１１９と第二アクチュエータ１２１に電気的に連通しているコントローラ１６０（図２２に概略的に図示）を備えてもよい。コントローラ１６０は、第一および第二アクチュエータ１１９、１２１の一方ないし両方を選択的に駆動させる回路を備えてもよい。このような回路は、第一スイッチ１６２、第二スイッチ１６３、第三スイッチ１６４、第四スイッチ１６５、第五スイッチ１６６および第六スイッチ１６７を備えてもよい。これらのスイッチ１６２、１６３、１６４、１６５、１６６、１６７は、家具部材１１０の使用者がスイッチ１６２、１６３、１６４、１６５、１６６、１６７を制御できるように、ボタン、トグルスイッチ、または他の構造を備えることができる。
【００６１】
第一スイッチ１６２および第二スイッチ１６３は、第一アクチュエータ１１９への電流の到達を許可したり妨げることによって、第二アクチュエータ１２１の動作とは独立して第一アクチュエータ１１９の動作を制御してもよい。このように、第一スイッチ１６２および第二スイッチ１６３は、レッグレスト機構１１８とは独立して傾斜機構１１６を動かすために使用可能である。第一スイッチ１６２は傾斜機構１１６を第一方向に動かしてもよい（例えば、背もたれフレーム１３２をフルリクライニング位置に向かって動かす）。第二スイッチ１６３は傾斜機構１１６を第一方向とは反対の第二方向に動かしてもよい（例えば、背もたれフレーム１３２を直立位置に向かって動かす）。
【００６２】
第三スイッチ１６４および第四スイッチ１６５は、第二アクチュエータ１２１への電流の到達を許可したり妨げることによって、第一アクチュエータ１１９の動作とは独立して第二アクチュエータ１２１の動作を制御してもよい。このように、第三スイッチ１６４および第四スイッチ１６５は、傾斜機構１１６とは独立してレッグレスト機構１１８を動かすために使用可能である。第三スイッチ１６４はレッグレスト機構１１８を第一方向に（例えば、完全に進展した位置に向かって）動かしてもよい。第四スイッチ１６５はレッグレスト機構１１８を第一方向とは反対の第二方向に（例えば、後退位置に向かって）動かしてもよい。
【００６３】
第五スイッチ１６６および第六スイッチ１６７は、第一アクチュエータ１１９および第二アクチュエータ１２１への電流の流れを同時に制御することによって、第一アクチュエータ１１９および第二アクチュエータ１２１の動作を同時に制御してもよい。例えば、第五スイッチ１６６は、傾斜機構１１６をフルリクライニング位置に向かって移動させると同時に、レッグレスト機構１１８を完全な伸展位置に向かって移動させるために使用可能である。第六スイッチ１６７は、傾斜機構１１６を直立位置に移動させると同時に、レッグレスト機構１１８を後退位置に移動させるために使用可能である。
【００６４】
いくつかの構成において、コントローラ１６０は第一、第二、第三および第四スイッチ１６２、１６３、１６４、１６５のみを備え、第五および第六スイッチ１６６、１６７を備えなくてもよい。いくつかの構成において、コントローラは第五および第六スイッチ１６６、１６７のみを備え、第一、第二、第三および第四スイッチ１６２、１６３、１６４、１６５を備えない場合もある。
【００６５】
なお、図１−２１で図示される家具部材１０、１１０は椅子であるが、いくつかの構成において、家具部材１０、１１０が、ソファ、二人掛けソファ、ユニット式ソファ、あるいは他の可動式家具製品の場合もある。
【００６６】
図２３および２４を参照し、モーションソファ２００が示される。このモーションソファ２００は第一シート部２０２と第二シート部２０３を備える。この第一シート部２０２と第二シート部２０３は共に第一支持レール２０４と第二支持レール２０５に設置され、また、直立位置、プレチルト位置およびフルリクライニング位置の間で相対移動できる。図２３は、プレチルト位置にある第一シート部２０２と直立位置にある第二シート部２０３を示す。図２４は、フルリクライニング位置にある第一シート部２０２と直立位置にある第二シート部２０３を示す。図２３および２４には示されないが、モーションソファ２００は、第一および第二シート部２０２、２０３の間で、第一および第二支持レール２０４、２０５に設置される第三シート部を備えてもよい。いくつかの構成において、第三シート部は、第一および第二支持レール２０４、２０５に対して固定されてもよい。なお、モーションソファ２００が任意の数の可動シート部と任意の数の固定シート部を備える場合もある。
【００６７】
第一および第二シート部２０２、２０３はそれぞれ、ベースアセンブリ２１２と、フレームアセンブリ２１４と、傾斜機構２１６と、レッグレスト機構２１８を備えてもよい。ベースアセンブリ２１２、フレームアセンブリ２１４、傾斜機構２１６およびレッグレスト機構２１８の構造および機能は、前述のベースアセンブリ１２、１１２、フレームアセンブリ１４、１１４、傾斜機構１６、１１６およびレッグレスト機構１８、１１８と同様または同一でもよい。従って、同様の特徴事項は再度記載されない。シート部２０２および２０３のベースアセンブリ２１２は、第一および第二支持レール２０４、２０５に設置される。第一シート部２０２のフレームアセンブリ２１４、傾斜機構２１６およびレッグレスト機構２１８は、第二シート部２０３のフレームアセンブリ２１４、傾斜機構２１６およびレッグレスト機構２１８とは独立して可動とされてもよい。
【００６８】
実施形態に関する上記記載は、図解および説明の目的で提供される。網羅的または開示事項を限定することを意図しない。特定の実施形態の個別の要素または特徴は、一般にその特定の実施形態に限定されないが、適用可能な場合には、詳細に図示または説明されないとしても選択された実施形態で交換可能であり、使用可能である。同じものが多くの点で変更されてもよい。そのような変更は本開示事項からの逸脱とはみなされない。そのような修正は全て本開示事項の範囲内に含まれることが意図される。
【図１】
0006357284.tif 000002
【図２】
0006357284.tif 000003
【図３】
0006357284.tif 000004
【図４】
0006357284.tif 000005
【図５】
0006357284.tif 000006
【図６】
0006357284.tif 000007
【図７】
0006357284.tif 000008
【図８】
0006357284.tif 000009
【図９】
0006357284.tif 000010
【図１０】
0006357284.tif 000011
【図１１】
0006357284.tif 000012
【図１２】
0006357284.tif 000013
【図１３】
0006357284.tif 000014
【図１４】
0006357284.tif 000015
【図１５】
0006357284.tif 000016
【図１６】
0006357284.tif 000017
【図１７】
0006357284.tif 000018
【図１８】
0006357284.tif 000019
【図１９】
0006357284.tif 000020
【図２０】
0006357284.tif 000021
【図２１】
0006357284.tif 000022
【図２２】
0006357284.tif 000023
【図２３】
0006357284.tif 000024
【図２４】
0006357284.tif 000025